(57)【特許請求の範囲】
【請求項１】
正負それぞれ定った強度よりも大きな強度の磁界が作用した際に磁化反転する磁性体に前記磁化反転を生じさせる交番磁界が発生した際に、当該交番磁界及び前記磁化反転によりそれぞれ電気信号が誘導される３以上の検知コイルと、
前記３以上の検知コイルの間の接続関係を切り替える切替手段と、
同じ個数でかつ前記交番磁界に誘導される交流電流が互いに逆位相になる２組の検知コイルが直列に接続されるように前記切替手段を制御する制御手段と、
前記２組の検知コイルを直列に接続した直列回路に流れる電気信号に基づいて、前記磁性体の磁化反転を検知する検知手段と、
を備えた検知装置。
【請求項２】
前記制御手段は、前記２組の検知コイルの組み合わせを、前記交番磁界の強度が最大、最小となるタイミングの少なくとも一方のタイミングで変更する
請求項１記載の検知装置。
【請求項３】
前記検知コイルに対応して設けられ、各々前記交番磁界を発生させる磁界発生コイルをさらに備えた
請求項１又は請求項２項記載の検知装置。
【請求項４】
コンピュータを、
正負それぞれ定った強度よりも大きな強度の磁界が作用した際に磁化反転する磁性体に前記磁化反転を生じさせる交番磁界が発生した際に、当該交番磁界及び前記磁化反転によりそれぞれ電気信号が誘導される３以上の検知コイルの間の接続関係を切り替える切替手段を、同じ個数でかつ前記交番磁界に誘導される交流電流が互いに逆位相になる２組の検知コイルが直列に接続されるように制御する制御手段、
として機能させるためのプログラム。
【発明の詳細な説明】
【技術分野】
【０００１】
本発明は、検知装置及びプログラムに関する。
【背景技術】
【０００２】
特許文献１には、プラテンガラス上に置かれた原稿に複写不可を示す磁性体が付与されているか否かを検出し、検出結果を信号出力する磁性体検知部を備えた複写機が記載されており、磁性体検知部が原稿に付与された磁性体を検出した場合は、複写機の複写動作を禁止するとともに、警報もしくは複写不可等のメッセージを音声、警報ランプ等で出力することが記載されている。
【先行技術文献】
【特許文献】
【０００３】
【特許文献１】特開２００６−８５４５３号公報
【発明の概要】
【発明が解決しようとする課題】
【０００４】
本発明は、検知装置に対して位置を変えない磁性体の検知精度を向上させることができる検知装置及びプログラムを提供することを目的とする。
【課題を解決するための手段】
【０００５】
請求項１の発明である検知装置は、正負それぞれ定った強度よりも大きな強度の磁界が作用した際に磁化反転する磁性体に前記磁化反転を生じさせる交番磁界が発生した際に、当該交番磁界及び前記磁化反転によりそれぞれ電気信号が誘導される３以上の検知コイルと、前記３以上の検知コイルの間の接続関係を切り替える切替手段と、同じ個数でかつ前記交番磁界に誘導される交流電流が互いに逆位相になる２組の検知コイルが直列に接続されるように前記切替手段を制御する制御手段と、前記２組の検知コイルを直列に接続した直列回路に流れる電気信号に基づいて、前記磁性体の磁化反転を検知する検知手段と、を備えている。
【０００６】
請求項２の発明である検知装置は、請求項１に記載の検知装置であって、前記２組の検知コイルの組み合わせを、前記交番磁界の強度が最大、最小となるタイミングの少なくとも一方のタイミングで変更する。
【０００７】
請求項３の発明である検知装置は、請求項１又は請求項２に記載の検知装置であって、前記検知コイルに対応して設けられ、各々前記交番磁界を発生させる磁界発生コイルをさらに備えている。
【０００８】
請求項４の発明であるプログラムは、コンピュータを、正負それぞれ定った強度よりも大きな強度の磁界が作用した際に磁化反転する磁性体に前記磁化反転を生じさせる交番磁界が発生した際に、当該交番磁界及び前記磁化反転によりそれぞれ電気信号が誘導される３以上の検知コイルの間の接続関係を切り替える切替手段を、同じ個数でかつ前記交番磁界に誘導される交流電流が互いに逆位相になる２組の検知コイルが直列に接続されるように制御する制御手段として機能させる。
【発明の効果】
【０００９】
請求項１及び請求項４の発明によれば、３つ以上の検知コイル間の接続関係を切り替える切り替え手段を有していない場合と比較して、検知装置に対して位置を変えない磁性体の検知精度を向上させることができる。
【００１０】
請求項２の発明によれば、交番磁界の強度が最大、最小となるタイミングよりも正負反転するタイミングに近いタイミングで２組の検知コイルの組み合わせを変更する場合と比較して、２組の検知コイルを直列に接続した直列回路に流れる電気信号に基づいて磁性体の磁化反転の検知を行う際に、当該電気信号への検知コイルの組み合わせを変更する際のスイッチングノイズの入り込みを回避しやすくなる。
【００１１】
請求項３の発明によれば、１つの磁界発生コイルで各検知コイルに対して交番磁界を作用させる場合と比較して、各検知コイルに作用させる交番磁界の強度の調整が個別に行える。
【図面の簡単な説明】
【００１２】
【図１】実施の形態に係る検知装置の概略的な構成を示す斜視図である。
【図２】実施の形態に係るプリント配線基板の構成の一例を示す斜視図である。
【図３】実施の形態に係る励磁コイルと受信コイルの一端、他端の接続状態を示す斜視図である。
【図４】実施の形態に係る検知装置の詳細な構成を示すブロック図である。
【図５】大バルクハウゼン効果を説明するための図である。
【図６】交番磁界中の磁性体により発生するパルス電流の一例を示す波形図である。
【図７】交番磁界中の磁性体により発生するパルス電流が減衰した状態の一例を示す波形図である。
【図８】実施の形態に係る４つの受信コイルの接続関係（第１状態）を示す回路図である。
【図９】実施の形態に係る４つの受信コイルの接続関係（第２状態）を示す回路図である。
【図１０】実施の形態に係る検知処理プログラムの処理の流れを示すフローチャートである。
【図１１】他の形態に係る６つの受信コイルの接続関係（第１状態）を示す回路図である。
【図１２】他の形態に係る６つの受信コイルの接続関係（第２状態）を示す回路図である。
【図１３】他の形態に係る６つの受信コイルの接続関係（第３状態）を示す回路図である。
【発明を実施するための形態】
【００１３】
以下、本発明を実施するための形態について図面を参照しながら詳細に説明する。なお、以下では、画像形成装置による不正な複写を防止するために用いられる場合を例に挙げて説明するが、本発明がこれに限定されないことは勿論である。
【００１４】
図１に示されるように、画像形成装置１００は、複写対象とする記録用紙などのシート状の物品４１が載置されるプラテンガラス９２と、そのプラテンガラス９２上を開閉可能に覆うプラテンカバー９４とを備えている。
【００１５】
本実施の形態では、たとえば、重要書類など不正な複写を禁止する物品４１にタグを付して一体としておく。本実施の形態に係る画像形成装置１００には、物品４１に付されたタグを検知するための検知装置が設けられている。
【００１６】
検知装置は、後述する励磁コイル１１と受信コイル１２とが形成されたプリント配線基板１３と、検知動作を制御する制御部２０と、タグが検知された場合に光が発せられる警告灯４０と、を備えている。
【００１７】
プリント配線基板１３は、プラテンカバー９４のプラテンガラス９２と対向する面に固定されている。警告灯４０は、プラテンカバー９４の上面に固定されている。プリント配線基板１３及び警告灯４０は、制御部２０と接続されている。この制御部２０は、画像形成装置１００の動作を制御する画像形成装置制御部９６に接続されている。
【００１８】
画像形成装置制御部９６は、プラテンガラス９２上に載置されたシート材の物品４１に対する光学的な画像読み取りを行う画像読取処理部９８の動作を制御するとともに、その画像読取処理部９８が読み取った画像データの印刷出力を行う画像生成処理部９９の動作を制御するようになっている。
【００１９】
複写を行う際、画像形成装置１００は、プラテンガラス９２上に複写対象とする物品４１が載置され、当該物品４１がプラテンカバー９４で覆われる。
【００２０】
検知装置は、プラテンガラス９２上に載置された物品４１にタグが存在するか否かの検出を行い、タグが検出された場合、画像形成装置１００による複写を禁止するための制御信号を画像形成装置制御部９６へ出力すると共に、警告灯４０を点灯させて、不正な複写を防止する。
【００２１】
図２には、プリント配線基板１３の構成を示す図が示されている。なお、図２は、受信コイル１２及び励磁コイル１１が形成された面を判別しやすくするため、プリント配線基板１３の厚さを実際よりも厚く示している。
【００２２】
プリント配線基板１３には、同じ巻数かつ同じ巻線方向で４つの受信コイル１２（１２Ａ、１２Ｂ、１２Ｃ、１２Ｄ）が平面上で隣り合うように一方の面に形成され、受信コイル１２と同じ大きさかつ同じ位置に、同じ巻数かつ同じ巻線方向で４つの励磁コイル１１（１１Ａ、１１Ｂ、１１Ｃ、１１Ｄ）が他方の面に形成されている。すなわち、受信コイル１２と励磁コイル１１は、１対１で対応して設けられている。
【００２３】
図３に示すように、受信コイル１２Ａ、１２Ｂ、１２Ｃ、１２Ｄは、コイルの一端（Ａ＋、Ｂ＋、Ｃ＋、Ｄ＋）及び他端（Ａ−、Ｂ−、Ｃ−、Ｄ−）がそれぞれプリント配線基板１３の外まで引き出されている。一方、励磁コイル１１Ａ、１１Ｂ、１１Ｃ、１１Ｄは、励磁コイル１１Ａ、１１Ｂ、１１Ｄ、１１Ｃの順に一端及び他端が他のコイルに直列に接続され、全体で１つの励磁コイル１１として機能する。
【００２４】
図４は、検知装置の詳細な構成を示す図である。なお、図４では、励磁コイル１１Ａ、１１Ｂ、１１Ｃ、１１Ｄを全体して１つの励磁コイル１１として示している。
【００２５】
検知装置は、励磁コイル１１に磁界を発生させるための励磁用の交流電流を供給する交流電源１５と、各受信コイル１２の接続関係を切り替える切替部１６と、受信コイル１２に誘導されたアナログの電気信号をデジタル信号に変換する信号処理部２１と、変換されたデジタル信号に基づいてタグの存在を検知するコントローラ２２と、を備えている。
【００２６】
切替部１６には、２つの１回路２接点のスイッチ１７、１８が設けられている。スイッチ１７は、３つの接点１７Ａ、１７Ｂ、１７Ｃを備え、接点１７Ａと接点１７Ｂ及び接点１７Ａと接点１７Ｃと間の通電、非通電を切り替える。スイッチ１８は、３つの接点１８Ａ、１８Ｂ、１８Ｃを備え、接点１８Ａと接点１８Ｂ及び接点１８Ａと接点１８Ｃと間の通電、非通電を切り替える。
【００２７】
ここで、スイッチ１７、１８は、切り替え時に、リンギング等の磁性タグの検出に不要なノイズを生じる。特に、リレーは、スイッチ開放時に開放抵抗が無限大になり、大きな不要ノイズを生じさせる。このため、スイッチ１７、１８としては、リレーよりノイズ量の少ない半導体スイッチ（アナログスイッチ）を使用することが好ましい。
【００２８】
受信コイル１２Ａの一端（Ａ＋）は信号処理部２１に接続され、受信コイル１２Ａの他端（Ａ−）はスイッチ１７の接点１７Ａに接続されている。受信コイル１２Ｂの一端（Ｂ＋）はスイッチ１７の接点１７Ｂとスイッチ１８の接点１８Ｂに並列に接続され、受信コイル１２Ｂの他端（Ｂ−）は受信コイル１２Ｄの他端（Ｄ−）に接続され、受信コイル１２Ｄの一端（Ｄ＋）はスイッチ１７の接点１７Ｃとスイッチ１８の接点１８Ｃに並列に接続されている。受信コイル１２Ｃの他端（Ｃ−）はスイッチ１８の接点１８Ａに接続され、受信コイル１２Ｃの一端（Ｃ＋）は信号処理部２１に接続されている。
【００２９】
交流電源１５は、コントローラ２２からの制御により、励磁コイル１１に対して交流電流を供給する。
【００３０】
励磁コイル１１は、交流電源１５から交流電流が供給されることにより励磁され、正弦波のように磁界が変化する交番磁界を発生する。これにより、各受信コイル１２では、励磁コイル１１で発生された交番磁界によって交流電流が誘導されると共に、大バルクハウゼン効果を有する磁性体を含んだタグが交番磁界内に存在する場合は、磁化反転によってパルス電流が生じる。
【００３１】
信号処理部２１は、両端電圧（受信コイル１２Ａの一端及び受信コイル１２Ｃの一端からそれぞれ出力された信号電圧）の差動を増幅して出力する差動増幅アンプ３１と、差動増幅アンプ３１から出力された信号の波形を整形する波形整形回路３２と、波形整形回路３２で波形整形された信号のうち、磁性体の磁化反転によって生じるパルス電流に対応する予め定めた帯域の信号を出力するバンドパスフィルタ（ＢＰＦ）３３と、バンドパスフィルタ３３から出力された信号をデジタル信号に変換するアナログ／デジタルコンバータ（ＡＤＣ）３４と、を備えている。
【００３２】
コントローラ２２は、マイクロコンピュータによって構成され、ＣＰＵ（中央処理装置）２２Ａ、ＲＯＭ（Read Only Memory）２２Ｂ、ＲＡＭ（Random Access Memory）２２Ｃ、フラッシュメモリ等からなる不揮発性の記憶部２２Ｄを備えている。コントローラ２２は、ＡＤＣ３４から出力されたデジタル信号のレベルが閾値を超えたか否かを判定するか、あるいはデジタル信号の波形形状が磁性体の磁化反転による波形形状であるかどうかを相互相関法等により判定することでタグの有無を検知し、タグが検知された場合、警告灯４０を点灯させる。また、コントローラ２２は、切替部１６のスイッチ１７、１８の切り替え動作を制御する。
【００３３】
次に、大バルクハウゼン効果について説明する。
【００３４】
大バルクハウゼン効果は、図５（Ａ）に示すＢ−Ｈ特性、つまり、ヒステリシスループがほぼ長方形で、保磁力（Ｈｃ）が比較的小さな材料、例えば、Ｃｏ−Ｆｅ−Ｎｉ−Ｂ−Ｓｉからなるアモルファス磁性材料を交番磁界中においた際に、急峻な磁化反転が起きる現象である。大バルクハウゼン効果を有する磁性体は、正負それぞれ定った強度よりも大きな強度の磁界が作用した際に磁化反転する。このため、励磁コイル１１に励磁電流を流して交番磁界を発生させ、その交番磁界中にタグを置くと、磁化反転時に、タグの近傍に配置された受信コイル１２にパルス状の電流が流れる。
【００３５】
例えば、励磁コイルにより図５（Ｂ）の上段に示す交番磁界が発生した場合、受信コイル１２には、図５（Ｂ）の下段に示すようなパルス電流が流れる。
【００３６】
ただし、受信コイル１２の電流には、このパルス電流だけでなく、交番磁界によって誘導される交流電流も含まれている。本実施の形態では、この受信コイル１２に誘導される交流電流を相殺させるために、受信コイル１２を巻線方向が逆になるように接続している。
【００３７】
タグに含まれる磁性体の材料（磁性材料）としては、一般には永久磁石、例えば希土類系のネオジュウム（Ｎｄ）-鉄（Ｆｅ）-ボロン（Ｂ）を主成分としたもの、サマリウム（Ｓｍ）-コバルト（Ｃｏ）を主成分としたもの、アルニコ系のアルミ（Ａｌ）-ニッケル（Ｎｉ）-コバルト（Ｃｏ）を主成分としたもの、フェライト系のバリュウム（Ｂａ）又はストロンチウム（Ｓｒ）と酸化鉄（Ｆｅ２Ｏ３）を主成分としたものや、その他に軟質磁性材料、酸化物軟質磁性材料等がある。上記大バルクハウゼン効果を起こす磁性材料としては、基本組成がＦｅ-Ｃｏ-ＳｉやＣｏ−ＦｅＮｉ系であるアモルファス磁性材料を用いることが好ましい。
【００３８】
磁性材料の形状は、大バルクハウゼン効果を起こすのに適した形状であれば特に限定されない。但し、大バルクハウゼン効果を起こすには、断面積に対応する長さが必要となってくることから、線状（ワイヤ状）や帯状であることが好ましく、ワイヤ状であることがより好ましい。
【００３９】
磁性材料がワイヤ状である場合には、大バルクハウゼン効果を起こすために必要な最小直径として１０μｍ以上であることが好ましい。また、最大直径としては特に限定はされないが、たとえば、記録媒体（用紙）に磁性材料を漉き込んで一体とする場合、記録媒体の表面に磁性材料が露出することを抑制するために、その直径は記録媒体の厚みに依存し、例えば９０μｍ前後の厚さの記録媒体の場合には、６０μｍ以下が好ましく、５０μｍ以下がより好ましい。
【００４０】
磁性材料の長さとしては、大バルクハウゼン効果を起こすために必要な最小長さとして５ｍｍ以上が好ましい。アモルファス磁性材料の最大長については、内部に含有されたときに、記録媒体から露出されない程度の長さであればよく、特に限定はされないが、４３０ｍｍ以下であることが好ましい。
【００４１】
ただし、各受信コイル１２の電流には、このパルス電流だけでなく、交番磁界によって誘導される交流電流も含まれている。このため、４つのうちの２つの受信コイル１２を巻線方向が逆になるように差動接続する。これにより、巻線方向が逆になるように接続された受信コイル１２に誘導される交流電流は、逆位相となり、４つの受信コイル１２全体として交番磁界によって誘導される交流電流は相殺される。
【００４２】
検知装置は、磁性体に磁化反転を確実に生じさせるため、交番磁界の強度が磁性体の保磁力（Ｈｃ）より十分に大きくなるように励磁コイル１１に対して交流電源を供給する。このため、交番磁界中の磁性体は、図６に示すように、交番磁界の強度が正負反転するタイミングに比較的近いタイミングで、急峻な磁束密度の変化が生じてパルス電流が流れる。
【００４３】
ところで、巻線方向が順方向で接続された２つの受信コイル１２に発生したパルス電流と、巻線方向が逆方向で接続された２つの受信コイル１２に発生したパルス電流とが略等量の場合、図７に示すように、差動接続により互いにパルス電流が減衰して、タグの検出ができなくなる。
【００４４】
そこで、本実施の形態に係る検知装置では、切替部１６によって信号処理部２１に対して巻線方向が逆になるように接続する受信コイル１２の組み合わせを切り替える。
【００４５】
図８、図９には、受信コイル１２の組み合わせが示されている。
【００４６】
図８では、スイッチ１７により、受信コイル１２Ａの他端（Ａ−）と受信コイル１２Ｂの一端（Ｂ＋）を接続し、スイッチ１８により、受信コイル１２Ｄの一端（Ｄ＋）と受信コイル１２Ｃの他端（Ｃ−）を接続している。これにより、受信コイル１２Ａ、１２Ｂと受信コイル１２Ｃ、１２Ｄとの巻線方向が逆となる。
【００４７】
図９では、スイッチ１７により、受信コイル１２Ａの他端（Ａ−）と受信コイル１２Ｄの一端（Ｄ＋）を接続し、スイッチ１８により、受信コイル１２Ｂの一端（Ｂ＋）と受信コイル１２Ｃの他端（Ｃ−）を接続している。これにより、受信コイル１２Ａ、１２Ｄと受信コイル１２Ｂ、１２Ｃとの巻線方向が逆となる。
【００４８】
図１０には、本実施の形態に係る検知装置によりタグが付された物品４１の検知を行う際にＣＰＵ２２Ａにより実行される検知処理プログラムの処理の流れを示すフローチャートが示されている。なお、当該プログラムはＲＯＭ２２Ｂに予め記憶されている。
【００４９】
ステップＳ１０では、交流電源１５を制御して励磁コイル１１に対して交番磁界を発生させる交流電流の供給を開始させる。
【００５０】
これにより、励磁コイル１１は、交番磁界を発生する。
【００５１】
受信コイル１２には、励磁コイル１１で発生された交番磁界によって交流電流が誘導されると共に、タグが付された物品４１が存在する場合、磁性体の磁化反転によってパルス電流が生じる。
【００５２】
ステップＳ１２では、切替部１６を制御して、スイッチ１７により、受信コイル１２Ａの他端（Ａ−）と受信コイル１２Ｂの一端（Ｂ＋）を接続させ、スイッチ１８により、受信コイル１２Ｄの一端（Ｄ＋）と受信コイル１２Ｃの他端（Ｃ−）を接続させる第１状態に切替える。これにより、各受信コイル１２は、図８のような接続関係となり、受信コイル１２Ａ、１２Ｂと受信コイル１２Ｃ、１２Ｄとの巻線方向が逆となる。受信コイル１２Ａ、１２Ｂ、１２Ｃ、１２Ｄにそれぞれ交番磁界によって誘導された交流電流は、受信コイル１２Ａ、１２Ｂと受信コイル１２Ｃ、１２Ｄの巻線方向が逆になるように接続されているため互いに打ち消される。
ステップＳ１４では、信号処理部２１から入力されるデジタル信号に基づいて、タグの有無の検知を行い、タグが検知された場合はステップＳ１６へ移行し、タグが検知されない場合はステップＳ１８へ移行する。
【００５３】
ステップＳ１６では、警告灯４０を光らせてタグが検知されたことを通知する。
【００５４】
ステップＳ１８では、励磁コイル１１から励磁された交番磁界の強度が最大又は最小となったか否かを判定し、肯定判定となった場合はステップＳ２０へ移行し、否定判定となった場合は再度ステップＳ１４へ移行する。
【００５５】
ステップＳ２０では、切替部１６を制御して、スイッチ１７により、受信コイル１２Ａの他端（Ａ−）と受信コイル１２Ｄの一端（Ｄ＋）を接続させ、スイッチ１８により、受信コイル１２Ｂの一端（Ｂ＋）と受信コイル１２Ｃの他端（Ｃ−）を接続させる第２状態に切替える。これにより、各受信コイル１２は、図９のような接続関係となり、受信コイル１２Ａ、１２Ｄと受信コイル１２Ｂ、１２Ｃとの巻線方向が逆となる。受信コイル１２Ａ、１２Ｂ、１２Ｃ、１２Ｄにそれぞれ交番磁界によって誘導された交流電流は、受信コイル１２Ａ、１２Ｄと受信コイル１２Ｂ、１２Ｃの巻線方向が逆になるように接続されているため互いに打ち消される。
ステップＳ２２では、信号処理部２１から入力されるデジタル信号に基づいて、タグの有無の検知を行い、タグが検知された場合はステップＳ２４へ移行し、タグが検知されない場合はステップＳ２６へ移行する。
【００５６】
ステップＳ２４では、複写を禁止するための制御信号を出力すると共に、警告灯４０を光らせてタグが検知されたことを通知する。
【００５７】
ステップＳ２６では、励磁コイル１１から励磁された交番磁界の強度が最大又は最小であるか否かを判定し、肯定判定となった場合はステップＳ２８へ移行し、否定判定となった場合は再度ステップＳ２２へ移行する。
【００５８】
ステップＳ２８では、処理を終了するか否かを判定し、肯定判定となった場合は処理終了となり、否定判定となった場合は上記ステップＳ１２へ移行する。本検知処理プログラムは、不図示の操作パネルから操作を受付けた場合に処理終了となる。
【００５９】
これにより、図８又は図９の何れか一方の接続関係で、巻線方向が順方向で接続された２つの受信コイル１２に発生したパルス電流と巻線方向が逆方向で接続された２つの受信コイル１２に発生したパルス電流が等量となり、タグが検出できない場合でも、他方の接続関係においてもパルス電流が等量とならない限り、タグの検出が行える。
【００６０】
なお、上記実施の形態では、受信コイル１２を４つとして、２つずつ受信コイル１２の組で巻線方向が逆とした場合について説明したが、これに限定されるものではない。例えば、４つの受信コイル１２のうちの２つの受信コイル１２を選択して当該２つの受信コイル１２の巻線方向が逆にして信号処理部２１に接続するものとし、４つの受信コイル１２から２つの受信コイル１２を選択する組み合わせを変えるようにしてもよい。この場合、受信コイル１２が３つの場合でも実現が可能である。受信コイル１２を４つ以上としてもよい。図１１〜図１３には、６つの受信コイル１２（１２Ａ、１２Ｂ、１２Ｃ、１２Ｄ、１２Ｅ、１２ｆ）を３つずつ受信コイル１２の組で巻線方向が逆とする場合の組み合わせの一例が示されている。
【００６１】
また、本発明は、上述した実施の形態に限定されるものではなく、特許請求の範囲に記載された範囲内で設計上の変更をされたものにも適用可能であるのは勿論である。
【００６２】
また、上記実施の形態に係る検知処理プログラムは、ＲＯＭ２２Ｂに予め記憶しておく形態の他のメモリやＨＤＤ等の記憶装置に記憶させる形態、ＣＤ−ＲＯＭやＤＶＤ−ＲＯＭ等のコンピュータで読み取れる記憶媒体に格納された状態で提供される形態、有線又は無線による通信手段を介して配信される形態等に適用してもよい。
【符号の説明】
【００６３】
１１  励磁コイル
１２  受信コイル
１６  切替部
１７、１８  スイッチ
２２  コントローラ
２２Ａ  ＣＰＵ
【図１】
0005471542.tif 000002
【図２】
0005471542.tif 000003
【図３】
0005471542.tif 000004
【図４】
0005471542.tif 000005
【図５】
0005471542.tif 000006
【図６】
0005471542.tif 000007
【図７】
0005471542.tif 000008
【図８】
0005471542.tif 000009
【図９】
0005471542.tif 000010
【図１０】
0005471542.tif 000011
【図１１】
0005471542.tif 000012
【図１２】
0005471542.tif 000013
【図１３】
0005471542.tif 000014